【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
会議の開催場所と前記会議の開催時間と前記会議の出席者が携帯する携帯端末装置とを関連付けて記憶部に登録する登録手段と、
前記会議の出席者が携帯する携帯端末装置の所在を検出する検出手段と、
前記検出手段が検出した所在と前記所在を検出した時刻とに基づいて前記記憶部から検索した携帯端末装置と、前記検出手段が所在を検出した携帯端末装置とを照合する照合手段と、
前記照合手段が照合した結果に基づいて、前記会議で使用する情報を送信する送信手段とを備え、
前記登録手段は、会議の開催場所と前記会議の開催時間と、前記会議で使用する情報の送信先とを関連付けて登録し、
前記送信手段は、前記検出手段が検出した所在と前記所在を検出した時刻と関連付けて前記登録手段が登録した送信先へ、前記会議で使用する情報を送信することを特徴とする情報送信装置。
【請求項２】
会議の出席者によって携帯され、携帯先の位置を表す位置情報を送信する携帯端末装置と、
前記会議の開催場所と前記会議の開催時間とを関連付けて記憶部に登録する登録手段、前記携帯端末装置が送信する位置情報に基づいて、前記携帯端末装置の所在を検出する検出手段、前記検出手段が検出した所在と前記所在を検出した時刻とに基づいて前記記憶部から検索した携帯端末装置と、前記検出手段が所在を検出した携帯端末装置とを照合する照合手段、及び前記照合手段が照合した結果に基づいて、前記会議で使用する情報を送信する送信手段を有する情報送信装置と、を備え、
前記登録手段は、会議の開催場所と前記会議の開催時間と、前記会議で使用する情報の送信先とを関連付けて登録し、
前記送信手段は、前記検出手段が検出した所在と前記所在を検出した時刻と関連付けて前記登録手段が登録した送信先へ、前記会議で使用する情報を送信することを特徴とする情報管理システム。
【請求項３】
前記送信手段が送信した情報を破棄する情報破棄装置を更に備え、
前記検出手段は、前記情報破棄装置の所在と前記情報を破棄した時刻とを検出することを特徴とする請求項２に記載の情報管理システム。
【請求項４】
コンピュータを、
会議の開催場所と前記会議の開催時間と前記会議の出席者が携帯する携帯端末装置とを関連付けて記憶部に登録する登録手段と、
前記会議の出席者が携帯する携帯端末装置の所在を検出する検出手段と、
前記検出手段が検出した所在と前記所在を検出した時刻とに基づいて検索した前記記憶部から携帯端末装置と、前記検出手段が所在を検出した携帯端末装置とを照合する照合手段と、
前記照合手段が照合した結果に基づいて、前記会議で使用する情報を送信する送信手段として機能させ、
前記登録手段は、会議の開催場所と前記会議の開催時間と、前記会議で使用する情報の送信先とを関連付けて登録し、
前記送信手段は、前記検出手段が検出した所在と前記所在を検出した時刻と関連付けて前記登録手段が登録した送信先へ、前記会議で使用する情報を送信することを特徴とする情報送信プログラム。
【手続補正２】
【補正対象書類名】明細書
【補正対象項目名】０００８
【補正方法】変更
【補正の内容】
【０００８】
本発明に係る情報送信装置は、会議の開催場所と会議の開催時間と会議の出席者が携帯する携帯端末装置とを関連付けて記憶部に登録する登録手段と、会議の出席者が携帯する携帯端末装置の所在を検出する検出手段と、検出手段が検出した所在と所在を検出した時刻とに基づいて記憶部から検索した携帯端末装置と、検出手段が所在を検出した携帯端末装置とを照合する照合手段と、照合手段が照合した結果に基づいて、会議で使用する情報を送信する送信手段とを備え、登録手段は、会議の開催場所と会議の開催時間と、会議で使用する情報の送信先とを関連付けて登録し、送信手段は、検出手段が検出した所在と所在を検出した時刻と関連付けて登録手段が登録した送信先へ、会議で使用する情報を送信することを特徴としている。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】変更
【補正の内容】
【００１０】
本発明に係る情報管理システムは、会議の出席者によって携帯され、携帯先の位置を表す位置情報を送信する携帯端末装置と、会議の開催場所と会議の開催時間とを関連付けて記憶部に登録する登録手段、携帯端末装置が送信する位置情報に基づいて、携帯端末装置の所在を検出する検出手段、検出手段が検出した所在と所在を検出した時刻とに基づいて記憶部から検索した携帯端末装置と、検出手段が所在を検出した携帯端末装置とを照合する照合手段、及び照合手段が照合した結果に基づいて、会議で使用する情報を送信する送信手段を有する情報送信装置と、を備え、登録手段は、会議の開催場所と会議の開催時間と、会議で使用する情報の送信先とを関連付けて登録し、送信手段は、検出手段が検出した所在と所在を検出した時刻と関連付けて登録手段が登録した送信先へ、会議で使用する情報を送信することを特徴としている。
【手続補正５】
【補正対象書類名】明細書
【補正対象項目名】００１２
【補正方法】変更
【補正の内容】
【００１２】
本発明に係る情報送信プログラムは、コンピュータを、会議の開催場所と会議の開催時間と会議の出席者が携帯する携帯端末装置とを関連付けて記憶部に登録する登録手段と、会議の出席者が携帯する携帯端末装置の所在を検出する検出手段と、検出手段が検出した所在と所在を検出した時刻とに基づいて検索した記憶部から携帯端末装置と、検出手段が所在を検出した携帯端末装置とを照合する照合手段と、照合手段が照合した結果に基づいて、会議で使用する情報を送信する送信手段として機能させ、登録手段は、会議の開催場所と会議の開催時間と、会議で使用する情報の送信先とを関連付けて登録し、送信手段は、検出手段が検出した所在と所在を検出した時刻と関連付けて登録手段が登録した送信先へ、会議で使用する情報を送信することを特徴としている。
【手続補正６】
【補正対象書類名】明細書
【補正対象項目名】００１３
【補正方法】変更
【補正の内容】
【００１３】
請求項１の構成によれば、会議の出席者が携帯する携帯端末装置の所在と所在を検出した時刻とに基づいて会議で使用する情報を送信するため、情報の漏洩を防止できる。また、予め登録された送信先へ情報を送信するため、情報の漏洩を防止できる。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】変更
【補正の内容】
【００１５】
請求項２の構成によれば、会議の出席者が携帯する携帯端末装置の所在と所在を検出した時刻とに基づいて会議で使用する情報を送信するため、情報の漏洩を防止できる。また、予め登録された送信先へ情報を送信するため、情報の漏洩を防止できる。
【手続補正９】
【補正対象書類名】明細書
【補正対象項目名】００１７
【補正方法】変更
【補正の内容】
【００１７】
請求項４の構成によれば、会議の出席者が携帯する携帯端末装置の所在と所在を検出した時刻とに基づいて会議で使用する情報を送信するため、情報の漏洩を防止できる。また、予め登録された送信先へ情報を送信するため、情報の漏洩を防止できる。